(57)【特許請求の範囲】
【請求項１】
浅層地表または池、湖、川、海洋等の自然蓄熱体または人工的に設置された固相、または気相、または液相物体により構成された蓄熱体（５００）の中に設置し、またＵ型コアパイプ及びループパイプの流体入口端及び／または出口端の配管セグメントを直接断熱材料により構成することにより、または二者の間に断熱構成を設置することにより、配管に温度差がある熱伝導流体が流れるとき、同側に隣り合っている入口端の配管セグメントと出口端の配管セグメントとの間に熱伝導が行われることにより起きる熱エネルギーの損失を低減する熱伝導シリンダーであって、
当該熱伝導シリンダーの各Ｕ型配管（１００）の中に、
１）液相流体、
２）気相流体、
３）液相から気相に変化する流体、
４）気相から液相に変化する流体、
のうち少なくとも一種の熱伝導流体（１１１）が通過し、
柱状熱伝導体の中に複数の輻射状に配列するＵ型配管（１００）を設置し、またその軸芯の近くに集中して同じ流向の配管群の外側に断熱構成を設置し、
Ｕ型配管（１００）は、熱伝導流体（１１１）を通過させるＵ型管状体により形成され、熱伝導流体（１１１）をその中に通過させ、Ｕ型配管（１００）を固相物体または膠状物体により構成された柱状熱伝導体（３００）に設置し、各Ｕ型配管（１００）は第１流体出入口端（１０１）及び第２流体出入口端（１０２）を持ち、また第１流体出入口端（１０１）の近くの配管セグメントを柱状熱伝導体（３００）のコアに集中して隣り合うように設置し、かつ第２流体出入口端（１０２）の近くの配管セグメントは、柱状熱伝導体（３００）の軸方向外側に沿って、辺縁の近くに設置し、また輻射状に分布設置し、
柱状熱伝導体（３００）は、熱伝導材料により構成され、かつ円形、または橢円形、または正方形、または長方形、または星形の断面である柱状に構成され、かつＵ型配管（１００）及び断熱装置（４００）を被覆し、
断熱装置（４００）は、断熱効果を持つ固体、または可撓体、または発泡体、または封入されたコロイド、または気体、または液体、または真空構造により構成される断熱構成であり、柱状熱伝導体（３００）の軸芯に集中して隣り合うように設置する各Ｕ型配管（１００）の第１流体出入口端（１０１）の近くの配管セグメントと各Ｕ型配管の第２流体出入口端（１０２）の近くの配管セグメントとの間に設置され、または第１流体出入口端（１０１）の近くの配管セグメントを直接または断熱材料または断熱材の外被材により製作し、
上述の断熱構成を通して、同一Ｕ型配管（１００）の同じ側にある第１流体出入口端（１０１）の近くの配管セグメントと第２流体出入口端（１０２）の配管セグメントとの間に熱伝導が行われるために起きる熱エネルギーの損失を低減することを特徴とする熱伝導シリンダー。
【発明の詳細な説明】
【技術分野】
【０００１】
本発明は、温度差のある熱伝導流体が流れる熱伝導シリンダーに関する。
【背景技術】
【０００２】
従来のＵ型配管熱交換装置では、Ｕ型配管装置の流体入口端の配管セグメントと流体出口端の配管セグメントとは、同側に隣り合って設置されている。
【発明の概要】
【発明が解決しようとする課題】
【０００３】
このため、従来のＵ型配管熱交換装置のＵ型配管装置では、同側に隣り合っている流体入口端の配管セグメントと流体出口端の配管セグメントとの間に温度差がある流体が流れると、常に近すぎるために、温度差の熱伝導が行われてしまい、熱エネルギーが損失する。
本発明の目的は、入口端近くの配管セグメントと出口端近くの配管セグメントとの間に熱伝導が行われるために起きる熱エネルギーの損失を低減可能な熱伝導シリンダーを提供することにある。
【課題を解決するための手段】
【０００４】
本発明の熱伝導シリンダーは、一種の輻射状に熱エネルギーを互いに伝送するＵ型管である。具体的には、輻射状に熱エネルギーを互いに伝送するＵ型管のＵ型流体配管入口端及び／または出口端の配管セグメントを直接断熱材料により構成し、または二者の間に断熱構成を設置し、更に熱伝導材料により製作した熱伝導シリンダーを設置することにより構成される。
これにより、本発明の熱伝導シリンダーは、同側に隣り合って、温度差がある流体入口端の配管セグメントと流体出口端の配管セグメントとの間に、温度差がある流体が流れるとき、温度差の熱伝導が行われ、熱エネルギーの損失を避けることができる。
【０００５】
（発明の効果）
本発明の熱伝導シリンダーは、浅層地表または池、湖、川、海洋等の自然蓄熱体または人工的に設置された固相、または気相、または液相物体により構成された蓄熱体（５００）の中に設置される。また、Ｕ型コアパイプ及びループパイプの流体入口端及び／または出口端の配管セグメントは、直接断熱材料により構成される。または、二者の間に断熱構成を設置し、本発明の熱伝導シリンダーが構成される。
これにより、配管に温度差がある熱伝導流体が流れるとき、同側に隣り合っている入口端の配管セグメントと出口端の配管セグメントとの間に熱伝導が行われるために起きる熱エネルギーの損失を避けることができる。
【図面の簡単な説明】
【０００６】
【図１】熱伝導柱体の中に二個または二個以上の輻射状に配列するＵ型配管を設置し、その軸芯の近くに集中して同じ流向の配管群の外側に断熱構成を設置する、本発明の実施形態の説明図。
【図２】図１の断面図。
【発明を実施するための形態】
【０００７】
以下、本発明の実施形態を図面に基づいて説明する。
（実施形態）
本発明の実施形態の熱伝導シリンダーは、浅層地表または池、湖、川、海洋等の自然蓄熱体または人工的に設置された固相、または気相、または液相物体により構成された蓄熱体５００の中に設置される。また、Ｕ型コアパイプ及びループパイプの流体入口端及び／または出口端の配管セグメントを直接断熱材料により構成される。または、二者の間に断熱構成を設置し、当該熱伝導シリンダーが構成される。
これにより、本実施形態の熱伝導シリンダーは、配管に温度差がある熱伝導流体が流れるとき、同側に隣り合っている入口端の配管セグメントと出口端の配管セグメントとの間に熱伝導が行われ、熱エネルギーの損失を避けることができる。
【０００８】
本実施形態の熱伝導シリンダーの各Ｕ型配管１００の中に、下記の少なくとも一種の熱伝導流体１１１が通過する。
１）液相流体。
２）気相流体。
３）液相から気相に変化する流体。
４）気相から液相に変化する流体。
【０００９】
図１は、柱状熱伝導体の中に二個または二個以上の輻射状に配列するＵ型配管を設置し、またその軸芯の近くに集中して同じ流向の配管群の外側に断熱構成を設置する、本発明の実施形態の構成の説明図である。図２は図１の断面図である。図１及び図２の中の主な構成を下記に示す。
【００１０】
−−Ｕ型配管１００：熱伝導流体１１１を通過させるＵ型管状体により形成され、熱伝導流体１１１をその中に通過させる。Ｕ型配管１００は、固相物体または膠状物体により構成された柱状熱伝導体３００に設置される。各Ｕ型配管１００は第１流体出入口端１０１及び第２流体出入口端１０２を持つ。第１流体出入口端１０１の近くの配管セグメントを柱状熱伝導体３００のコアに集中して隣り合うように設置し、かつ第２流体出入口端１０２の近くの配管セグメントは、柱状熱伝導体３００の軸方向外側に沿って、辺縁の近く設置し、また輻射状に分布設置する。
【００１１】
−−柱状熱伝導体３００：熱伝導材料により構成され、かつ円形、または橢円形、または正方形、または長方形、または星形等の各種幾何形状の断面である柱状に構成され、かつＵ型配管１００及び断熱装置４００を被覆する。
【００１２】
−−断熱装置４００：断熱効果を持つ固体、または可撓体、または発泡体、または封入されたコロイド、または気体、または液体、または真空構造により構成される断熱構成である。柱状熱伝導体３００の軸芯に集中して隣り合うように設置する各Ｕ型配管１００の第１流体出入口端１０１の近くの配管セグメントと各Ｕ型配管の第２流体出入口端１０２の近くの配管セグメントとの間に設置される。または、第１流体出入口端１０１の近くの配管セグメントを直接または断熱材料または断熱材の外被材により製作する。
【００１３】
上述の断熱構成を通して、同一Ｕ型配管１００の同じ側にある第１流体出入口端１０１の近くの配管セグメントと第２流体出入口端１０２の配管セグメントとの間に熱伝導が行われるために起きる熱エネルギーの損失を大幅に減少させることができる。
【００１４】
本実施形態の熱伝導シリンダーにおいて、複数のＵ型配管を共同して柱状熱伝導体３００の軸芯へ通じる所に設置し、相対的に大きな径の配管により共通配管２００の第１流体出入口端１１０１を構成し、かつ柱状熱伝導体３００の軸方向の周辺に沿って、輻射状に第２流体出入口端１０２を設置することができる。
【符号の説明】
【００１５】
１００・・・Ｕ型配管
１０１・・・第１流体出入口端
１０２・・・第２流体出入口端
１１１・・・熱伝導流体
３００・・・柱状熱伝導体
４００・・・断熱装置
５００・・・蓄熱体
【図１】
0005777321.tif 000002
【図２】
0005777321.tif 000003